(57)【要約】 【課題】基材に対象物が取り付けられた状態で、取付部分が目立たないようにブラケットを基材に取り付けるブラケットの取付構造を提供する。【解決手段】ブラケットの取付構造は、対象物に対して取り付けられたパネル状の基材にブラケット７１を取り付けるブラケット取付構造であって、基材には、対象物に対向する側面から内方に向かって凹む溝２５が形成され、基材の側面と対象物との間には、基材の少なくとも一方の面側から溝２５に連通する間隙部Ｋが形成され、ブラケット７１は、溝２５内から間隙部Ｋを通過して基材の前記一方の面に配置されていることを特徴とする。【選択図】図１４
2015086646.tif 000002
【特許請求の範囲】
【請求項１】
対象物に対して取り付けられたパネル状の基材にブラケットを取り付けるブラケット取付構造であって、
前記基材には、前記対象物に対向する側面から内方に向かって凹む溝が形成され、
前記基材の前記側面と前記対象物との間には、前記基材の少なくとも一方の面側から前記溝に連通する間隙部が形成され、
前記ブラケットは、前記溝内から前記間隙部を通過して前記基材の前記一方の面に配置されていることを特徴とするブラケット取付構造。
【請求項２】
前記ブラケットは、前記溝の壁面に取り付けられた取付部を有することを特徴とする請求項１に記載のブラケット取付構造。
【請求項３】
前記間隙部は、前記基材の前記側面において、前記一方の面側とは反対側の他方の面側に形成されていることを特徴とする請求項１または請求項２に記載のブラケット取付構造。
【請求項４】
前記基材は、パネル状の芯材であり、
該芯材の前記一方の面及び前記他方の面には、弾性変形可能なクッション材が設けられ、
該クッション材の縁部には、前記芯材の縁部から前記対象物側に向かって突出する突出部が形成され、
該突出部が弾性変形することにより前記間隙部が形成されていることを特徴とする請求項３に記載のブラケット取付構造。
【請求項５】
前記対象物として、前記芯材と前記クッション材とを有する他の基材を備えることを特徴とする請求項４に記載のブラケット取付構造。
【発明の詳細な説明】
【技術分野】
【０００１】
本発明は、ブラケットの取付構造に関するものである。
【背景技術】
【０００２】
一般に、オフィスや公共施設等における空間では、空間をパネル等で区画することで小空間を形成して、個人の執務スペースや打合せスペースを確保している。
【０００３】
このようなパネルとして、ハニカム構造の紙を矩形状に形成してなるパネル本体と、パネル本体の四方の縁部に設けられアルミニウム合金の押し出し成形で形成された縦枠及び横枠とを備えたものも提案されている（下記特許文献１参照）。このようなパネルを複数連結して配置することで、所定距離にわたって空間を区分している。
【先行技術文献】
【特許文献】
【０００４】
【特許文献１】特開平９−１７７２０９号公報
【発明の概要】
【発明が解決しようとする課題】
【０００５】
ここで、上記と特許文献１に記載のパネルどうしを連結して配置し、パネルに沿ってデスク等の什器を設置する場合に、作業台となる天板等のオプション部材をパネルに取り付けることがある。この場合には、オプション部材を取り付ける取付金具等の取付部材がパネルに設けられるため、美観がよくないという問題点がある。
【０００６】
本発明は、上記事情に鑑みてなされたものであり、対象物に基材が取り付けられた状態で、取付部分が目立たないようにブラケットを基材に取り付けるブラケットの取付構造を提供するものである。
【課題を解決するための手段】
【０００７】
上記目的を達成するために、本発明は以下の手段を採用している。
すなわち、本発明に係るブラケットの取付構造は、対象物に対して取り付けられたパネル状の基材にブラケットを取り付けるブラケット取付構造であって、前記基材には、前記対象物に対向する側面から内方に向かって凹む溝が形成され、前記基材の前記側面と前記対象物との間には、前記基材の少なくとも一方の面側から前記溝に連通する間隙部が形成され、前記ブラケットは、前記溝内から前記間隙部を通過して前記基材の前記一方の面に配置されていることを特徴とする。
【０００８】
このように構成されたブラケットの取付構造では、対象物にパネル状の基材が取り付けられている場合に、ブラケットの一部を溝に配置することでブラケットを介して、基材の一方の面側にオプション部材を設けることができる。ブラケットが取り付けられる溝は対象物と対向する基材の側面に形成されているため、ブラケットの取付部分が目立たない。
【０００９】
また、本発明に係るブラケットの取付構造は、前記ブラケットは、前記溝の壁面に取り付けられた取付部を有することが好ましい。
【００１０】
このように構成されたブラケットの取付構造では、ブラケットの取付部が溝の壁面に取り付けられるとともに、基材の一方の面側からはブラケットの取付部分が見えない。
【００１１】
また、本発明に係るブラケットの取付構造は、前記間隙部は、前記基材の前記側面において前記一方の面側とは反対側の他方の面側に形成されていてもよい。
【００１２】
このように構成されたブラケットの取付構造では、溝に配置されたブラケットを、基材の両面側に取り出すことができるため、オプション部材を基材の両面に設けることができる。
【００１３】
また、本発明に係るブラケットの取付構造は、前記基材は、パネル状の芯材であり、該芯材の前記一方の面及び前記他方の面には、弾性変形可能なクッション材が設けられ、該クッション材の縁部には、前記芯材の縁部から前記対象物側に向かって突出する突出部が形成され、該突出部が弾性変形することにより前記間隙部が形成されていてもよい。
【００１４】
このように構成されたブラケットの取付構造では、溝よりも対象物側に突出しているクッション材がブラケットと当たって弾性変形しつつ、一部が溝に配置されたブラケットの他の部分をパネル材の一方の面に取り出すことができる。ブラケットは弾性変形したクッション材から対象物に向かって押圧されているため、対象物とブラケットとの間に生じる隙間を抑えることができる。
【００１５】
また、本発明に係るブラケットの取付構造は、前記対象物として、前記芯材と前記クッション材とを有する他の基材を備えてもよい。
【００１６】
このように構成されたブラケットの取付構造では、一部が溝に配置されたブラケットは、ブラケットが設けられた基材と他の基材との間に形成される間隙部を通過して、当該基材の一方の面側に取り出される。ブラケットは弾性変形したクッション材と他の基材に設けられたクッション材とから互いに押圧されているため、他の基材のクッション材とブラケットとの間に生じる隙間を抑えることができる。
【発明の効果】
【００１７】
本発明に係るブラケットの取付構造によれば、基材に対象物が取り付けられた状態で、取付部分が目立たないようにブラケットを基材に取り付けることができる。
【図面の簡単な説明】
【００１８】
【図１】一実施形態におけるブラケット取付構造の一例を示す斜視図である。
【図２】パネル体の構成を示す斜視展開図である。
【図３】パネル体の板厚方向中間部における半断面図である。
【図４】パネル体の端部を示す上面図である。
【図５】パネル体の直線部の構造を示す断面図である。
【図６】パネル体のコーナー部の構造を示す断面図である。
【図７】基材の表面に沿って設けられたクッション材を示す断面図であり、（ａ）は表皮材を非装着の状態におけるクッション材の断面図、（ｂ）は表皮材を装着した状態におけるクッション材の断面図である。
【図８】パネル体の下部の角部に設けられた支持脚体、およびパネル体どうしの下部における連結構造の一例を示す斜視図である。
【図９】パネル体どうしの下部における連結構造を示す断面図である。
【図１０】パネル体どうしの上部における連結構造の一例を示す斜視図である。
【図１１】パネル体どうしの連結部分の構造を示す断面図である。
【図１２】ソファーとパネル体との連結部分の構造を示す側面図である。
【図１３】図１２の要部の拡大図である。
【図１４】ソファーとパネル体との連結部分の構造を示す断面図である。
【図１５】ソファーとパネル体とを連結する連結部材の斜視図である。
【図１６】図１２の要部の拡大図である。
【図１７】ソファーとパネル体とを連結する他の連結部材の斜視図である。
【図１８】パネル体の製造方法の流れを示す図であり、（ａ）はパネル基材を組み立てた状態の断面図、（ｂ）はパネル基材の表面にクッション材を設けた状態の断面図、（ｃ）はクッション材の表面に表皮材を沿わせた状態の断面図である。
【図１９】本実施形態における凹凸形状の複数の変形例を示す断面図であり、（ａ）はクッション材に溝を形成した例、（ｂ）はクッション材に凸部を形成した例、（ｃ）はクッション材に段部を形成した例、（ｄ）は凹凸形状を湾曲形状とした例を示す図である。
【図２０】本実施形態におけるパネル体の変形例を示す図であり、基材の一面側にのみ凹凸形状を形成した例を示す断面図である。
【発明を実施するための形態】
【００１９】
以下、本発明の実施形態について説明する。
図１は、本実施形態におけるブラケット取付構造の一例を示す斜視図である。図２は、パネル状の基材の構成を示す斜視展開図である。図３は、基材の板厚方向中間部における半断面図である。図４は、基材の端部を示す上面図である。図５は、基材の直線部の構造を示す断面図である。図６は、基材のコーナー部の構造を示す断面図である。
図１に示すように、間仕切り装置１０は、ソファー１００の背面側に設置された対象物としての一のパネル体１１と、当該パネル体１１に取り付けられた他のパネル体１１と、他のパネル体１１に取り付けられたブラケットと、を備えている。
【００２０】
（ソファー）
ソファー１００は、床面から上方に向かって延びる4本の脚部１０１,１０１…と、これら脚部１０１,１０１…に支持された座部１０２と、座部１０２よりも上方に延びる背凭れ部１０３とを有している。
【００２１】
脚部１０１は、ソファー１００の奥行方向および幅方向に間隔を有して４本設けられている。これら脚部１０１の上端は、座部１０２の下面に取り付けられている。この座部１０２の上面は、利用者が着座可能な座面とされている。
【００２２】
この座部１０２は、幅方向に長い平面視略矩形状をなしている。座部１０２の後部の左右両側は、湾曲に形成されている。
【００２３】
（パネル体）
パネル体１１は、設置する什器の形状等に沿って、平面板状、あるいは平面視または側面視したときに、中間部で折曲または湾曲した略Ｌ字状、あるいは全体が湾曲した平面視略Ｃ字状等とすることができる。以下においては、パネル体１１が平面板状であるものとして説明を行う。
図２に示すように、パネル体１１は、パネル基材（基材）１２と、パネル基材１２の両面に沿って設けられたクッション材１３と、パネル基材１２およびクッション材１３を覆う表皮材１４と、固定部材３０と、を備えている。
【００２４】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２５】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば孔１５ｈが断面を六角形状として複数千鳥状に組み合わされたハニカム構造とされている。
【００２６】
（フレーム）
図２、図３に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００２７】
図４〜図６に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５とされている。
このようにして、パネル基材１２は、その外周端部に沿って連続し、パネル基材１２の内方に向けて凹んだ溝２５を有している。
【００２８】
ここで、図３に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００２９】
なおここで、図２では、平面板状のパネル体１１の例を示したが、パネル体１１を平面視または側面視した状態で略Ｌ字状、略Ｃ字状等とする場合には、フレーム２０の上下の枠材２１Ｃ，２１Ｄまたは左右の枠材２１Ａ，２１Ｂを，パネル体１１の形状に合わせて折曲または湾曲させる。
【００３０】
図５、図６に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００３１】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００３２】
図７は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図２に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００３３】
図５、図７に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図７（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００３４】
（表皮材）
図５、図７に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
【００３５】
また、図５、図６に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
このように、クッション材１３および表皮材１４の縁部のうち芯材１５の外周面側に配置される部分は、芯材１５の外周端面（縁部）１５ａよりも外方に向かって突出する突出部１３ｔ，１４ｔとされている。
【００３６】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００３７】
ここで、図２に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００３８】
図５に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００３９】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
【００４０】
連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たって部分よりも先端部分（不図示）を収容できる収容空間として機能する。
【００４１】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００４２】
さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材等を装着するための保持溝３５が形成されている。
【００４３】
図３に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。
【００４４】
図６に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００４５】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００４６】
連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たって部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００４７】
図３に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図６に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図３に示すように、第一直線状部４１Ａの下端部には、突起片４３が下方に向けて突出形成されている。この突起片４３が、直線部固定部材３０Ｓの上端部において、連結プレート部３２と突状３４との間の保持溝３５（図５参照）に挿入されている。
また、図３に示すように、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００４８】
（支持脚体）
図３に示すように、上記したようなパネル体１１の下部のコーナー部には、コーナー部固定部材３０Ｃとして、支持脚体５０が設けられている。この支持脚体５０は、床面に接地することで、パネル体１１を床面上に立設させる。
支持脚体５０は、フレーム２０の下部端部の溝２５内に収容される下部支持部５１と、下部支持部５１の一端から上方に延び、フレーム２０の側部の下端部の溝２５内に収容される側部支持部５２と、下部支持部５１よりも下方に延びる支持脚部５３と、を一体に備えている。
【００４９】
下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、溝２５の基部２１ｅの所定の位置に形成された雌ネジ孔部２９にねじ込まれるようになっている。これにより、支持脚体５０が、パネル体１１に固定される。
【００５０】
支持脚部５３は、下部支持部５１よりも下方に延び、その下端部に、高さ調整ネジ４９がねじ込み可能とされている。
【００５１】
（パネル体の連結構造）
図８は、パネル体１１の下部の角部に設けられた支持脚体５０、およびパネル体１１，１１どうしの下部における連結構造の一例を示す斜視図である。図９は、パネル体１１，１１どうしの下部における連結構造を示す断面図である。
図８、図９に示すように、支持脚体５０には、隣接して配置される他のパネル体１１と連結するための下側連結部５５の一端が係止可能とされている。このため、支持脚体５０には、下部支持部５１よりも下方に膨出した膨出部５６が一体に形成されている。
【００５２】
そして、この膨出部５６には、パネル体１１の厚さ方向に沿った支持脚体５０の中間部に、プレート状の下側連結部５５の一端が挿入可能なスリット５７が形成されている。スリット５７は、膨出部５６において他方のパネル体１１に隣接する側の側面５６ａおよび下面５６ｂに開口している。
図９に示すように、スリット５７の上部には、後述する下側連結部５５の突起部５８Ａが挿入される挿入凹部５７ａが、上方に向けて凹んで形成されている。そして、スリット５７の上部において、膨出部５６の側面５６ａ側には、挿入凹部５７ａに隣接して、下方に向けて突出する突起部５７ｂが形成されている。
【００５３】
また、膨出部５６には、スリット５７内に挿入された下側連結部５５を係止するための、係止孔５６ｈが、パネル体１１の厚さ方向に沿って貫通形成されている。
【００５４】
下側連結部５５は、両端部にそれぞれ貫通孔５５ｈが形成されている。また、下側連結部５５の両端部には、それぞれ、上方に向けて突出する突起部５８Ａが形成されている。また、下側連結部５５には、両端部の突起部５８Ａ，５８Ａの間に、上方に向けて突出する中央突起部５８Ｂが形成されている。そして、中央突起部５８Ｂと、その両側の突起部５８Ａとの間には、下方に向けて凹となる係合凹部５８Ｃが形成されている。
【００５５】
突起部５７ｂおよび係合凹部５８Ｃは、膨出部５６の側面５６ａ側、中央突起部５８Ｂ側が、上下方向に延在する鉛直面５７ｆ、５８ｆとされ、その反対側が、上方に行くにしたがい鉛直面５７ｆ、５８ｆから離間する傾斜面５７ｇ、５８ｇとされている。これにより、突起部５７ｂおよび係合凹部５８Ｃは、いずれも下方に行くにしたがいその幅寸法が漸次小さくなるテーパ状をなしている。
この係合凹部５８Ｃに、スリット５７の突起部５７ｂが嵌め込まれることで、下側連結部５５と支持脚体５０とを、パネル体１１，１１が隣り合う方向において、容易に位置決めできるようになっている。
【００５６】
互いに隣接するパネル体１１，１１どうしを連結するには、貫通孔５５ｈが形成された下側連結部５５の両端部を、支持脚体５０のスリット５７に挿入する。下側連結部５５の両端部の係合凹部５８Ｃに、それぞれ、両側のパネル体１１に設けられた支持脚体５０の突起部５７ｂを嵌め込む。ここで、突起部５７ｂおよび係合凹部５８Ｃは、いずれも下方に行くにしたがいその幅寸法が漸次小さくなるテーパ状をなしている。したがって、係合凹部５８Ｃに突起部５７ｂが挿入されることで、下側連結部５５と支持脚体５０とが、パネル体１１，１１が隣り合う方向において互いに位置決めされる。これにより、下側連結部５５に形成された両端部の貫通孔５５ｈと、支持脚体５０の係止孔５６ｈとが連通する。そこで、これら貫通孔５５ｈ及び係止孔５６ｈに連結ボルト５９を挿通・締結させる。このように、下側連結部５５が互いに隣接する１１，１１の支持脚体５０，５０どうしを連結することによって、パネル体１１，１１どうしが下端部で連結される。
これら支持脚体５０，５０と、下側連結部５５とが、隣接するパネル体１１の下端部どうしを連結する下側連結部を構成している。
【００５７】
図１０は、パネル体１１，１１どうしの上部における連結構造の一例を示す斜視図である。
この図１０に示すように、互いに隣接するパネル体１１，１１どうしは、それぞれの上端部どうしを、上側連結部６１によって連結することができる。
この上側連結部６１は、コーナーキャップ４０に代えて、コーナー部固定部材３０Ｃに取り付けられる。上側連結部６１の両端部６１ａ，６１ａには、ボルト挿通孔６２が形成されている。
また、上側連結部６１の中間部６１ｂの下面側には、互いに隣接するパネル体１１，１１の上部に配置されたコーナー部固定部材３０Ｃ．３０Ｃの間隔を規制する間隔規制部６３が下方に向けて突出形成されている。間隔規制部６３が、互いに隣接するパネル体１１，１１の上部に配置されたコーナー部固定部材３０Ｃ．３０Ｃの間に挿入されることで、パネル体１１，１１どうしの間隔を規制することができる。
このような上側連結部６１によって、互いに隣接するパネル体１１，１１の上端部どうしを連結するには、以下のようにする。
まず、上側連結部６１を、互いに隣接するパネル体１１，１１の上部に配置されたコーナー部固定部材３０Ｃ．３０Ｃ上に載せる。このとき、上側連結部６１の両端部６１ａ，６１ａの下面が、コーナー部固定部材３０Ｃの第二直線状部３８Ｂに対し、側部プレート部３６，３６との間に挿入され、連結プレート部３７に突き当てられている。そして、間隔規制部６３が、互いに隣接するパネル体１１，１１の上部に配置されたコーナー部固定部材３０Ｃ．３０Ｃの間に挿入されることで、パネル体１１，１１どうしの間隔を規制することができる。より具体的には、間隔規制部６３の両側面６３ａ，６３ａに、コーナー部固定部材３０Ｃの第一直線状部３８Ａの連結プレート部３７に突き当てることで、パネル体１１，１１どうしの間隔を適正に位置決めできる。この状態で、ボルト挿通孔６２に挿通させたボルト６４により、上側連結部６１と、コーナー部固定部材３０Ｃ、枠材２１Ｃ（図３参照）、ブラケット２２の第二プレート部２２ｂ（図３参照）を一体に締結する。これによって、互いに隣接するパネル体１１，１１の上端部どうしが連結される。
このように、下側連結部５５と上側連結部６１により、パネル体１１どうしを固定する連結部材が構成されている。
また、一のパネル体１１と下側連結部５５及び上側連結部６１とにより、他のパネル体１１に連結可能なパネルユニットが構成されている。
【００５８】
図１１は、パネル体１１，１１どうしの連結部分の構造を示す断面図である。
図１１に示すように、一のパネル体１１の外周端部１１ｓと、他のパネル体１１の芯材１５の外周端面１５ａとは、距離を保持した状態で、パネル体１１，１１どうしは固定されている。一方で、パネル体１１の芯材１５の外周端面１５ａよりも外方に突出するクッション材１３，１３の突出部１３ｔ，１３ｔどうしは、表皮材１４，１４の突出部１４ｔ，１４ｔを介在させて当接している。クッション材１３，１３の突出部１３ｔ，１３ｔどうしは互いに対向方向に押圧し合い、突出部１３ｔ，１３ｔの先端部分は丸くなるように弾性変形している。これにより、当接している突出部１３ｔ，１３ｔの当接面積は大きくなる。
【００５９】
（ソファーとパネル体との連結構造）
次に、ソファー１００とパネル体１１との連結構造について説明する。
図１２は、ソファー１００とパネル体１１との連結部分の構造を示す側面図である。図１３は、図１２の要部の拡大図である。図１４は、ソファー１００とパネル体１１との連結部分の構造を示す断面図である。図１５は、ソファー１００とパネル体１１とを連結する什器上連結部材７１の斜視図である。
【００６０】
図１２から図１５に示すように、ソファー１００の上部とパネル体１１の上部とは什器上連結部材（ブラケット）７１を介して連結されている。
【００６１】
什器上連結部材７１は、パネル体１１の幅方向端部（壁面）に取り付けられる係止部（取付部）７２と、係止部７２の端部から屈曲しパネル基材１２の溝２５に設けられた直線部固定部材３０Ｓの側部プレート部３１に沿って延びる側壁部７３とを有している。什器上連結部材７１は、側壁部７３の端部から屈曲しパネル体１１の外周端部１３ｓに沿って延びる外壁部７４と、外壁部７４の端部から屈曲しパネル体１１の表皮材１４に沿って配置される挟持壁部７５とを有している。什器上連結部材７１は、ソファー１００の背凭れ部１０３の上端に沿って配置される上壁部７６と、上壁部７６の端部から背凭れ部１０３の前面に沿って配置される前壁部７７とを有している。
【００６２】
什器上連結部材７１の係止部７２には、貫通孔７２Ａが形成されている。この貫通孔７２Ａから挿通されたボルト７９が、パネル体１１の枠材２１Ａ（又は枠材２１Ｂ）に固定された直線部固定部材３０Ｓの保持溝３５内に設けられ雌ねじが形成されたベース部７８に螺合されている。このように什器上連結部材７１がパネル体１１に取り付けられた状態で、ソファー１００の背凭れ部１０３の上部は、什器上連結部材７１の挟持壁部７５と前壁部７７とで挟持される。
【００６３】
このとき、パネル体１１における什器上連結部材７１の外壁部７４が配置される側のクッション部材１３Ｐは、外壁部７４に押圧されている。これにより、什器上連結部材７１が配置される側のクッション部材１３Ｐの幅寸法は、什器上連結部材７１が配置されない側のクッション部材１３Ｑの幅寸法よりも短くなる。また、クッション部材１３Ｑの端部と、クッション部材１３Ｐに沿って配置された什器上連結部材７１の外壁部７４の端面とは、面一とされている。
【００６４】
換言すると、一のパネル体１１の芯材１５には、外周端面（側面）１５ａから内方に向かって溝２５が形成されている。什器上連結部材７１が取り付けられていない状態では、対向するクッション材１３，１３の突出部１３ｔ，１３ｔは当接している。一の突出部１３ｔに当接するように什器上連結部材７１が配置されると、クッション材１３の突出部１３ｔがそのクッション材１３の幅寸法を短くする方向に弾性変形し、パネル体１１，１１間に什器上連結部材７１を配置可能な間隙部Ｋが形成される。この間隙部Ｋは、一の芯材１５の外周端面１５ａと他のパネル体１１との間に、パネル基材１２の表裏両方の面側から溝２５に連通するように形成されている。什器上連結部材７１は溝２５内から間隙部Ｋを通過して配置され、挟持壁部７５、上壁部７６および前壁部７７がパネル基材１２の一方の面に配置されている。
【００６５】
この状態で、什器上連結部材７１が配置されない側のクッション部材１３Ｑの突出部１３ｔおよびクッション材１３Ｑと対向する他のパネル体１１のクッション材１３の突出部１３ｔは、互いに対向方向に押圧し合う。これにより、突出部１３ｔ，１３ｔの先端部分は丸くなるように弾性変形している。これにより、当接している突出部１３ｔ，１３ｔの当接面積は大きくなる。
また、什器上連結部材７１が配置される側のクッション部材１３Ｐの突出部１３ｔおよびクッション材１３Ｐと対向する他のパネル体１１のクッション材１３の突出部１３ｔは、什器上連結部材７１の外壁部７４を介して互いに対向方向に押圧し合う。これにより、突出部１３ｔ，１３ｔの先端部分は丸くなるように弾性変形している。これにより、当接している突出部１３ｔ，１３ｔの当接面積は大きくなる。
【００６６】
図１６は、図１４の要部の拡大図である。図１７は、ソファー１００とパネル体１１とのを連結する什器下連結部材８１の斜視図である。
【００６７】
図１２，図１６、図１７に示すように、ソファー１００の上部とパネル体１１の下部とは什器下連結部材８１を介して連結されている。
【００６８】
什器下連結部材８１は、図示しないボルトによりソファー１００の座部１０２の下面に取り付けられる支持壁部８２と、支持壁部８２の端部から下方に向かって屈曲形成された屈曲壁部８３とを有している。什器下連結部材８１は、屈曲壁部８３の端部から屈曲しパネル体１１の表皮材１４に沿って配置される上下壁部８４と、上下壁部８４の下端から屈曲しパネル体１１側に向かって伸びる下壁部８５と、下壁部８５の端部から上方に向かって延びパネル体１１の下端に取り付けられる係止部８６とを有している。この係止部８６と下壁部８５とは、ボルト８９にて螺合されることで一体とされている。
【００６９】
什器下連結部材８１の係止部８６は、パネル体１１の枠材２１Ａ（又は枠材２１Ｂ）に固定された直線部固定部材３０Ｓの側部プレート部３１に形成された突条３４，３４により係止されている。
【００７０】
このように、パネル体１１は、什器上連結部材７１および什器下連結部材８１を介して、ソファー１００の背面に沿った状態が維持されている。
【００７１】
なお、パネル体１１をソファー１００から取り外す際には、什器上連結部材７１のパネル体１１のベース部７８に螺合されたボルト７９を緩め、上壁部７６および前壁部７７をソファー１００の背凭れ部１０３から取り外す。さらに、什器下連結部材８１の係止部８６とパネル体１１の突条３４，３４との係止を解除すればよい。
【００７２】
（製造方法）
次に、上記したようなパネル体１１の製造方法について説明する。
図１８は、パネル体１１の製造方法の流れを示す図であり、（ａ）はパネル基材１２を組み立てた状態の断面図、（ｂ）はパネル基材１２の表面にクッション材１３を設けた状態の断面図、（ｃ）はクッション材１３の表面に表皮材１４を沿わせた状態の断面図である。
（パネル基材組立工程）
まず、図１８（ａ）に示すように、所定形状のフレーム２０を組み立てる。
次いで、フレーム２０の一面側（例えば図１８（ａ）における下側）に、ベースシート１８を接着する。そして、ベースシート１８を接着した側（一面側）を下に向けてフレーム２０を置く。続いて、フレーム２０の内側にパネル状の芯材１５を入れ、下方のベースシート１８に接着する。次いで、上方を向いているフレーム２０の他面側（例えば図１８（ａ）における上側）にベースシート１８を接着する。これにより、芯材１５と、フレーム２０と、ベースシート１８とからなるパネル基材１２が構成される。
【００７３】
（クッション材貼り付け工程）
次いで、図１８（ｂ）に示すように、パネル基材１２の両面側において、それぞれベースシート１８に、周縁に角部１６ｖを有した複数の貫通孔１６が予め形成されたクッション材１３を接着する。これにより、クッション材１３によってパネル基材１２の表面に凹凸形状が形成される。
【００７４】
（表皮材配置工程）
次に、図１８（ｃ）に示すように、クッション材１３を覆うように表皮材１４を沿わせて配置する。このとき、クッション材１３と表皮材１４にはそれぞれ接着剤を塗布しておく。
【００７５】
（凹部形成工程）
そして、図１８（ｃ）の状態としたパネル体１１の材料を、プレス型でプレスすることによって、表皮材１４を、クッション材１３による凹凸形状に沿わせて成形する。これにより、表皮材１４がクッション材１３の形状に応じて密着する。その結果、表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう接着される。これにより、図７（ｂ）に示すように、表皮材１４が、クッション材１３に形成された複数の貫通孔１６からなる凹凸形状に沿い、パネル体１１の表面に複数の長円形状の凹部１７が形成される。
【００７６】
このようにして、表皮材１４が接着された結果、クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面となる。
【００７７】
（固定部材装着工程）
次に、図５、図６に示すように、フレーム２０の外周縁部よりも外周側まで広がっているクッション材１３および表皮材１４の外周端部１３ｅ，１４ｅを、パネル基材１２の外周縁部を回り込ませて、溝２５内側に巻き込む。
そして、溝２５に、固定部材３０を構成する直線部固定部材３０Ｓ、コーナー部固定部材３０Ｃ、支持脚体５０を嵌め込んで固定する。
これにより、パネル体１１が完成する。
【００７８】
このように構成された間仕切り装置１０では、一対のパネル体１１，１１が連結されている場合に、什器上連結部材７１の係止部７２をパネル体１１の溝２５に配置することで、什器上連結部材７１の挟持壁部７５、上壁部７６および前壁部７７はパネル体１１の一方の面側に設けられる。この挟持壁部７５、上壁部７６および前壁部７７にソファー１００の背凭れ部を挟持させて、パネル体１１に沿ってソファーを取り付けることができる。什器上連結部材７１が取り付けられる溝２５は他のパネル体１１と対向するパネル体１１の外周端面１５ａに形成され、パネル基材１２の表面にはクッション材１３が設けられているため、什器上連結部材７１の取付部分が目立たない。
【００７９】
また、間隙部Ｋはパネル基材１２の両面側に形成されているため、什器上連結部材７１をパネル基材１２の両面側に取り出すことができる。よって、ソファー１００をパネル基材１２の両面に設けることができるため、利便性を高めることができる。
【００８０】
また、一部が溝２５に配置された什器上連結部材７１は、什器上連結部材７１が設けられたパネル体１１と他のパネル体１１との間に形成される間隙部Ｋを通過して、当該パネル体１１の一方の面側に取り出される。什器上連結部材７１は取り付けられるパネル体１１側の弾性変形したクッション材１３と他のパネル体１１の弾性変形したクッション材１３とから互いに押圧されているため、他のパネル体１１と什器上連結部材７１との間、および什器上連結部材７１と当該パネル体１１との間に生じる隙間を抑えることができる。
【００８１】
（その他の実施形態）
なお、本発明は、図面を参照して説明した上述の各実施形態に限定されるものではなく、その技術的範囲において様々な変形例が考えられる。
【００８２】
例えば、上記実施形態において、什器上連結部材７１はオプション部材としてソファー１００をパネル体１１に取り付けているが、オプション部材としては他にテーブルの天板や、照明装置、棚板等の装置が採用される。
【００８３】
また、上記に示す実施形態において、什器上連結部材７１は、隣接する２枚のパネル体１１，１１の一方の溝２５に設けられ、パネル体１１，１１間からパネル体１１の表面に取り出されている。しかし、パネル体１１が取り付けられる対象物はパネル体１１に限られず、１枚のパネル体１１が壁や棚板の側板等の部材に取り付けられ、当該取付部分から什器上連結部材７１がパネル体１１の表面に取り出されていてもよい。
また、什器上連結部材７１は横方向に隣接するパネル体１１，１１間に設けられるだけではなく、上下方向に隣接するパネル体１１，１１間に設けられていてもよい。
また、パネル基材１２の外周部の全周にわたって溝２５を形成するものとしたが、これに限るものではない。パネル基材１２の外周部の一部にのみ溝２５が設けられていてもよい。
【００８４】
また、溝２５内で表皮材１４を固定する固定手段として、固定部材３０を例に挙げたが、表皮材１４を固定できるのであれば、他のいかなる構成としてもよい。例えば、固定部材３０の断面形状、構造等については、何ら限定するものではない。さらには、表皮材１４を、タッカーや接着等によって溝２５内に固定するようにしてもよい。
【００８５】
上記実施形態では、パネル基材１２の表面に凹凸形状を形成するため、クッション材１３に貫通孔１６を形成するようにしたが、これに限るものではない。例えば、図１９（ａ）〜（ｃ）に示すように、クッション材１３に、非貫通の凹部１６Ｐ（図１９（ａ）参照）、凸部１６Ｑ（図１９（ｂ）参照）、段部１６Ｒ（図１９（ｃ）参照）等を形成してもよい。さらに、凹凸形状の断面形状も、いかなる形状としてもよく、例えば図１９（ｄ）に示すように、曲線状の凸部１６Ｓ等としてもよい。
【００８６】
また、上記実施形態では、凹凸形状を形成する貫通孔１６は、例えば、上下方向を長軸方向とした長円形状としたが、長円形以外の、円形、多角形状等、あるいは企業ロゴ等の他の形状としてもよい。
【００８７】
さらに、上記実施形態では、貫通孔１６は、その内周面１６ｆが外表面１３ｆと直交することで、外周縁部に角部１６ｖを形成したが、内周面１６ｆが外表面１３ｆとが傾斜して交差してもよい。
【００８８】
さらに、上記実施形態で示したようなクッション材１３は、パネル基材１２の両面に形成するとは限らず、図２０に示すように、パネル基材１２の一面側にのみ形成するようにしてもよい。さらには、クッション材１３が設けられていなくてもよい。
【００８９】
また、上記実施形態では、パネル体１１に支持脚体５０を設けたが、他のブラケット等によってパネル体１１を什器等に固定するのであれば、支持脚体５０を設ける必要はない。
【００９０】
また、上記実施形態では、間仕切り装置１０をソファー１００の背面側に沿って設けるようにしたが、これに限るものではない。間仕切り装置１０は、ソファー１００以外にも、デスク、テーブル、カウンター、棚、チェア等に組み合わせて設けてもよい。さらには、間仕切り装置１０を、支持脚体５０によって、床面上に自立させてもよい。加えて、間仕切り装置１０を、壁や柱等の建造物に不図示のブラケット等によって固定させて設けるようにしてもよい。
これ以外にも、本発明の主旨を逸脱しない限り、上記実施の形態で挙げた構成を取捨選択したり、他の構成に適宜変更したりすることが可能である。
【符号の説明】
【００９１】
１０  間仕切り装置
１１  パネル体、対象物
１２  パネル基材（基材）
１３  クッション材
１３ｅ，１４ｅ  外周端部
１３ｔ  突出部
１４  表皮材
１５  芯材
１５ｈ  孔
１６  貫通孔
１６ｖ  角部
１６ｆ  内周面
１７  凹部
１８  ベースシート
２０  フレーム
２５  溝
３０  固定部材
３０Ｃ  コーナー部固定部材
３０Ｓ  直線部固定部材
５０  支持脚体
５１  下部支持部
５２  側部支持部
５３  支持脚部
５５  下側連結部
５７  スリット
６１  上側連結部
７１  什器上連結部材（ブラケット）
７２  係止部（取付部）
１００  ソファ
Ｋ  間隙部
Ｓ１  空間
Ｓ２  空間
【図１】
2015086646.tif 000003
【図２】
2015086646.tif 000004
【図３】
2015086646.tif 000005
【図４】
2015086646.tif 000006
【図５】
2015086646.tif 000007
【図６】
2015086646.tif 000008
【図７】
2015086646.tif 000009
【図８】
2015086646.tif 000010
【図９】
2015086646.tif 000011
【図１０】
2015086646.tif 000012
【図１１】
2015086646.tif 000013
【図１２】
2015086646.tif 000014
【図１３】
2015086646.tif 000015
【図１４】
2015086646.tif 000016
【図１５】
2015086646.tif 000017
【図１６】
2015086646.tif 000018
【図１７】
2015086646.tif 000019
【図１８】
2015086646.tif 000020
【図１９】
2015086646.tif 000021
【図２０】
2015086646.tif 000022